(57)【要約】      （修正有）【課題】生花の販売店における切り花の購入者が持ち帰るとともにそのまま飾っておくのに適した切り花の包装体を提供する。【解決手段】切り花を持ち運ぶとともにそのまま飾ることができるようにした切り花の包装体である。保水部材(11)には切り花(10)に与えるべき量の水を保水され、保水部材によって切り花の切り口を包むとともにその外側から防水性の紙(12)又はフィルムで覆って紐部材(13)によって結束する。防水性の紙又はフィルムで覆われた部分及びその直上の切り花の茎の部分を紙製筒状のポット(14)に差し込んで保持する。【選択図】  図３
2008030782.tif 000002
【特許請求の範囲】
【請求項１】
切り花を持ち運ぶとともにそのまま飾ることができるようにした切り花の包装体であって、
保水部材には切り花に与えるべき量の水が保水され、該保水部材によって切り花の切り口が包まれるとともにその外側から防水性の紙又はフィルムで覆われて紐部材によって結束され、上記防水性の紙又はフィルムで覆われた部分及びその直上の切り花の茎の一部分が紙製筒状のポットに差し込まれて保持されていることを特徴とする切り花の包装体。
【請求項２】
上記保水部材が織布、不織布、繊維又はセルロースから選ばれる１つ又は複数の組合せからなる請求項１記載の切り花の包装体。
【請求項３】
上記ポットを立てて保持する穴が形成されている載せ台を更に備えた請求項１記載の切り花の包装体。
【請求項４】
上記載せ台は、四角形状の函体の上半部が切り取られる一方、函体の内部に仕切り板が水平に設けられ、該仕切り板に上記ポットが差し込まれる穴が形成されている請求項３記載の切り花の包装体。
【発明の詳細な説明】
【技術分野】
【０００１】
この発明は切り花の包装体に関し、特に販売店における切り花の購入者が持ち帰るとともに、そのまま飾っておくのに適した包装体に関する。
【背景技術】
【０００２】
切り花の生産者が切り花を採取して出荷する場合、切り花の切り口を含水した紙や綿状物で包み、さらに必要に応じて紙や綿状物をプスラチックフィルムやアルミ箔で包み、耐水性の段ボール箱に入れて出荷することが行われているが、保水性能が十分でなく、切り花の鮮度が落ち、枯れてしまうおそれがあった。
【０００３】
これに対し、切り花の切り口を保水部材で包み、その全体を透明容器に入れてエチレンガス抑制ガスを挿入するようにした切り花の包装体（特許文献１）、プリーツによって上端開口を拡縮可能とした保水袋を設け、保水袋内に水を入れて切り花の切り口を差し込み、保水袋と切り花の茎との間の隙間を吸水膨張性樹脂で塞ぎ、保水袋を結束部材で結束するようにした切り花の包装体（特許文献２、特許文献３）、が提案されている。
【０００４】
【特許文献１】特開２００４−１１５０２２号公報
【特許文献２】特開平０５−１３２０８９号公報
【特許文献３】特開平０８−２０７９７６号公報
【発明の開示】
【発明が解決しようとする課題】
【０００５】
ところで、切り花の生産者が各販売店における購入者の嗜好を的確に把握することは実際には困難であり、同じ種類の切り花をまとめて包装して輸送することが多い。
【０００６】
そのため、各販売店では送られてきた切り花の包装を解き、バケツなどの容器に水とともに入れて展示し、購入者が嗜好に応じて選んだ切り花を包装用紙などで包み、購入者がこれを家庭などへ持ち帰り、花瓶などに飾るのが一般的である。
【０００７】
以上のように、特許文献１〜３記載の切り花の包装体は生産者から生花の販売店までの輸送において切り花の鮮度を保つことができるものの、生花の販売店での購入者が持ち帰る場合には利用しにくいという問題があった。
【０００８】
本発明はかかる問題点に鑑み、切り花の購入者が販売店から持ち帰るのに適した切り花の包装体を提供することを課題とする。
【課題を解決するための手段】
【０００９】
そこで、本発明に係る切り花の包装体は、切り花を持ち運ぶとともにそのまま飾ることができるようにした切り花の包装体であって、保水部材には切り花に与えるべき量の水が保水され、該保水部材によって切り花の切り口が包まれるとともにその外側から防水性の紙又はフィルムで覆われて紐部材によって結束され、上記防水性の紙又はフィルムで覆われた部分及びその直上の切り花の茎の一部分が紙製筒状のポットに差し込まれて保持されていることを特徴とする。
【００１０】
本発明の特徴の１つは保水部材で切り花の切り口を包み、その外側を防水性の紙又はフィルムで包んで結束し、これを紙製ポットに差し込んで保持するようにした点にある。
【００１１】
これにより、紙製ポットが保水部材を保護するので、切り花の持ち運び中に保水部材に衝撃や荷重が加わることはなく、保水部材の水が洩れ出ることはなく、切り花に安定して水を供給して切り花の鮮度を維持することができる。
【００１２】
また、切り花を保水部材で包み、その外側を防水性の紙又はフィルムで包んで結束し、ポットに差し込めばよいので、販売店で所望の切り花を選び、保水させた保水部材と紙又はフィルムで包んで結束すればよく、一般の購入者が切り花を販売店から持ち帰るときにもポットを持てば切り花を安心して持ち帰ることができ、便利である。
【００１３】
本発明ではポットに切り花を立てて保持しているので、ポットを立てる台を設けると、生花の販売店において切り花を適切に選んで保水部材と紙又はフィルムで包んで結束し、ポットに入れると、販売店でそのまま飾って販売することができ、又家庭などでそのまま立てて飾っておくことができる。さらに、病人を見舞う場合、花瓶などが準備できていないことがあるが、上述のようにポットを立てる台を設けると、花瓶などが準備できていなくても切り花を飾ることができる。
【００１４】
即ち、ポットを立てて保持する穴が形成されている載せ台を更に備えるのがよい。この載せ台はどのようなものでもよいが、四角形状の函体の上半部を切り取り、函体の内部に仕切り板を水平に設け、仕切り板にポットが差し込まれる１又は複数の穴を形成するのがよい。
【００１５】
ポットは紙、例えば厚紙で筒状に製作されていればよく、例えば円筒状や角筒状に製作されることができる。また、ポットは有底であってもよく、底のない筒状であってもよい。保水部材は保水できればどのようなものでもよく、例えば高分子材料でもよく、又織布、不織布、繊維又はセルロースから選ばれる１つ又は複数の組合せから構成されることができる。また、防水性の紙は公知の防水剤をコーティング処理することによって得ることができる。
【００１６】
また、防水性のフィルムは例えばポリエチレンフィルム、ポリプロピレンフィルム、ＰＥＴフィルムなどを用いることができる。また、保水部材、紙又はフィルム、ポット及び載せ台は焼却しても有害物質の発生しない材料で製作されるのがよい。
【発明を実施するための最良の形態】
【００１７】
以下、本発明を図面に示す具体例に基づいて詳細に説明する。図１ないし図３は本発明に係る切り花の包装体の好ましい実施形態を示す。図において、複数の切り花１０はその茎の切り口が保水性を有する不織布（保水部材）１１によって包まれ、不織布１１には切り花１０に与えるべき水、必要に応じて肥料、延命剤、栄養剤、防腐剤などの薬剤が含有されている。
【００１８】
この不織布１１の外側は防水性の紙１２で覆われ、紙１２の上方部位は紐１３によって結束されている。紙１２で覆われた部分及びその直上の切り花１０の茎の部分は紙製筒状のポット１４に差し込まれて保持されており、以上のようにして本例の切り花の包装体２０が構成されている。
【００１９】
この切り花の包装体２０は載せ台３０に立てて保持されている。載せ台３０は四角形状の函体の上半部を側面が傾斜するように切り取って製作され（図３の一点鎖線参照）、函体内部には仕切り板３１が水平に設けられ、仕切り板３１には複数の穴３２が形成され、穴３２には切り花の包装体２０のポット１４を差し込み、立てた状態に保持するようになっている。
【００２０】
生産者から販売店まで切り花が輸送されてくると、包装をあけて切り花を取り出し、例えば見舞い用の切り花や家庭の装飾用の切り花といった具合に一般購入者の嗜好に合った切り花１０を選ぶ。他方、不織布１１には水（必要に応じて薬剤）を含有させて保水させておき、上記の選んだ切り花１０の切り口を不織布１１で包み、その外側を防水性の紙１２で包み、紐１３で結束した後、紙製筒状ポット１４に差し込む。
【００２１】
こうして切り花の包装体２０が得られると、これを載せ台３０の穴３２に差し込むと、切り花の包装体２０を立てておくことができる。そこで、切り花の包装体２０を載せ台３０に立てて店舗に飾っておくと、バケツなどの容器にまとめて入れておく場合に比して見栄えがよい。
【００２２】
また、一般購入者は載せ台３０から好みの切り花１０を選んでポット１４ごと抜くと、ポット１４の部分を持って持ち帰ることができ、切り花１０の切り口、不織布１１などに衝撃や荷重が加わることがなく、一般購入者が安心して切り花１０を持ち帰ることができる。
【００２３】
また、持ち帰った切り花１０を飾る場合には載せ台３０の函体を合わせて購入して、これを利用して立てておいてもよく、又コップなどにポット１４を差し込んで立てて飾っておいてもよい。
【００２４】
以上のように、紙製ポット１４が保水部材１１を保護するので、切り花１０を持ち運んでいる時に保水部材１１に衝撃や荷重が加わることはなく、保水部材１１の水が洩れ出ることはなく、切り花１０に安定して水を供給して切り花１０の鮮度を維持することができる。
【００２５】
また、切り花１０を保水部材１１で包み、その外側を防水性の紙１２で包んで結束し、ポット１４に差し込めばよいので、一般の購入者が切り花１０を販売店から持ち帰るときにもポット１４を持てば切り花を安心して持ち帰ることができ、便利である。
【図面の簡単な説明】
【００２６】
【図１】本発明に係る切り花の包装体の好ましい実施形態を示す斜視図である。
【図２】上記実施形態においてポットを取り除いた状態を示す図である。
【図３】上記実施形態を飾った状態を示す図である。
【符号の説明】
【００２７】
１０      切り花
１１      不織布（保水部材）
１２      防水性紙
１３      紐
１４      ポット
２０      切り花の包装体
３０      載せ台
３１      仕切り板
３２      穴
【図１】
2008030782.tif 000003
【図２】
2008030782.tif 000004
【図３】
2008030782.tif 000005